(57)【要約】【課題】一体または別体で形成した蓋壁による閉塞作業性を向上する。【解決手段】閉塞壁（底壁１０）の外側に外周壁（端壁１２Ａ，１２Ｂおよび側壁１４Ａ，１４Ｂ）を設け、この外周壁の先端開口部を蓋壁（蓋フラップ３０Ａ，３０Ｂ）で閉塞するようにした包装箱において、外周壁の少なくとも１つの壁（端壁１２Ａ）を、外壁部１６と、外壁部１６に連続する連続壁部１７と、連続壁部１７に連続する内壁部１８とを有する二重壁により構成し、この二重壁構造の壁１２Ａに、内壁部１８の一部上端を切り起こし、連続壁部１７と略面一に連続して内壁部１８より内向きに突出する第１係止片２２を設けるとともに、蓋壁（３０Ａ，３０Ｂ）に、外周壁の開口部を閉塞した状態で、連続壁部１７および第１係止片２２の内面の少なくとも一方に係止する第２係止片３２を外向きに突設する。【選択図】図１
2012076809.tif 000002
【特許請求の範囲】
【請求項１】
閉塞壁の外側に外周壁を設け、この外周壁の先端開口部を蓋壁で閉塞するようにした包装箱において、
前記外周壁の少なくとも１つの壁を、外壁部と、この外壁部に連続する連続壁部と、この連続壁部に連続する内壁部とを有する二重壁により構成し、
この二重壁構造の壁に、前記内壁部の一部上端を切り起こし、前記連続壁部と略面一に連続して前記内壁部より内向きに突出する第１係止片を設けるとともに、
前記蓋壁に、前記外周壁の開口部を閉塞した状態で、前記連続壁部および前記第１係止片の内面の少なくとも一方に係止する第２係止片を外向きに突設した
ことを特徴とする包装箱。
【発明の詳細な説明】
【技術分野】
【０００１】
本発明は、所定の商品を収容する段ボール紙製の包装箱に関するものである。
【背景技術】
【０００２】
この種の包装箱は、閉塞された底壁の外側に外周壁を立設したもので、その内部に所定の商品が収容される。そして、外周壁の上端開口部は、一体または別体に形成された蓋壁によって閉塞される。
【０００３】
例えば、特許文献１には、矩形状をなす底壁の外側に、外周壁を構成する各一対の端壁および側壁を連設した包装箱が記載されている。この包装箱は、各端壁に蓋壁を構成する内フラップを連設し、その境界部分中央に係止孔を形成している。また、各側壁には、蓋壁を構成する外フラップを連設し、その先端両側に係止片を突設している。そして、この包装箱は、内フラップの上方に位置するように外フラップを折り曲げ、外フラップの係止片を内フラップの係止孔に差し込んで係止することにより、蓋の閉塞状態を維持するように構成されている。
【０００４】
また、特許文献２には、矩形状をなす底壁の外側に、特許文献１と同様に外周壁を構成する各一対の端壁および側壁を連設した包装箱が記載されている。この包装箱は、各端壁に折込フラップを連設し、その略中央に係止孔を形成している。また、各側壁には、同様の折込フラップを連設している。そして、この包装箱は、これら端壁および側壁からなる外周壁の上端開口部を、係止孔に内側（対向縁）から挿入係止する係止片を備えた矩形状をなす別体の蓋壁によって閉塞する構成としている。
【０００５】
しかしながら、特許文献１の包装箱は、内フラップの係止孔に外フラップの係止片を差し込む際に、外フラップに対して係止片を折り曲げなければならない。また、特許文献２の包装箱は、端壁に連設した折込フラップの係止孔に蓋壁の係止片を差し込む際に、蓋壁を両端から内向きに撓ませなければならない。そのため、いずれの包装箱も外周壁の上端開口部を閉塞する作業が繁雑である。
【先行技術文献】
【特許文献】
【０００６】
【特許文献１】実開昭５１−１３４５２７号公報
【特許文献２】実開昭５７−３６１３号公報
【発明の概要】
【発明が解決しようとする課題】
【０００７】
本発明は、一体または別体で形成した蓋壁による閉塞作業性を向上できる包装箱を提供することを課題とするものである。
【課題を解決するための手段】
【０００８】
前記課題を解決するため、本発明の包装箱は、閉塞壁の外側に外周壁を設け、この外周壁の先端開口部を蓋壁で閉塞するようにした包装箱において、前記外周壁の少なくとも１つの壁を、外壁部と、この外壁部に連続する連続壁部と、この連続壁部に連続する内壁部とを有する二重壁により構成し、この二重壁構造の壁に、前記内壁部の一部上端を切り起こし、前記連続壁部と略面一に連続して前記内壁部より内向きに突出する第１係止片を設けるとともに、前記蓋壁に、前記外周壁の開口部を閉塞した状態で、前記連続壁部および前記第１係止片の内面の少なくとも一方に係止する第２係止片を外向きに突設した構成としている。
【発明の効果】
【０００９】
本発明の包装箱では、蓋壁を外周壁の先端開口部に配置し、内向きに押し込むだけで、内壁部より内方に突出した第１係止片を蓋壁に係止できる。また、第２係止片は、蓋体の寸法設定により、第１係止片が連設された連続壁部と内壁部の打抜部分の端縁との間に挿入できる。これにより、第１および第２係止片による係止力を向上できるため、外周壁の先端開口部を蓋壁によって閉塞した状態を確実に維持できる。
【図面の簡単な説明】
【００１０】
【図１】本発明に係る第１実施形態の包装箱の開封状態を示す斜視図である。
【図２】図１の包装箱の閉塞状態を示す斜視図である。
【図３】図２の要部を示し、（Ａ）は平面図、（Ｂ）断面図である。
【図４】第１実施形態の包装箱のブランクを示す平面図である。
【図５】第２実施形態の包装箱の開封状態を示す斜視図である。
【図６】図５の包装箱の閉塞状態を示す斜視図である。
【図７】第２実施形態の包装箱のブランクを示す平面図である。
【図８】（Ａ），（Ｂ），（Ｃ）は包装箱の変形例を示す要部平面図である。
【発明を実施するための形態】
【００１１】
以下、本発明の実施の形態を図面に従って説明する。
【００１２】
図１から図４は、本発明の第１実施形態に係る包装箱を示す。この包装箱は、底壁１０の外側に各一対の端壁１２Ａ，１２Ｂおよび側壁１４Ａ，１４Ｂを備え、これらの先端開口部を一体に形成した蓋フラップ３０Ａ，３０Ｂによって閉塞するものである。そして、本実施形態では、一対の端壁１２Ａ，１２Ｂを二重壁構造として第１係止片２２を形成し、蓋フラップ３０Ａ，３０Ｂに形成した第２係止片３２とで容易かつ確実に閉塞可能としたものである。
【００１３】
この包装箱は、表紙および裏紙の間に波状をなすように中しんを配設した段ボール紙を、周知の紙器打抜装置（図示せず）によって図４に示す連続した一枚のブランクとして打ち抜き、所定部位を折り曲げることにより成形される。
【００１４】
この包装箱のブランクは、中央に長方形状をなす底壁１０を備えている。この底壁１０は一端を閉塞する閉塞壁であり、その横方向の両端縁には各一対の差込孔１１が設けられている。
【００１５】
底壁１０には、両端縁に端壁１２Ａ，１２Ｂが連設され、その境界部分に肉厚を圧縮するように裏紙側から罫を入れて形成した折曲線１３が設けられている。また、底壁１０には、縦方向の両側縁に側壁１４Ａ，１４Ｂが連設され、その境界部分に折曲線１３と同様の折曲線１５が設けられている。これら端壁１２Ａ，１２Ｂはおよび側壁１４Ａ，１４Ｂは、底壁１０の外側に位置する外周壁を構成する。また、端壁１２Ａ，１２Ｂは、互いに対向する一対の対向壁であり、側壁１４Ａ，１４Ｂは、同様に互いに対向する一対の対向壁である。
【００１６】
端壁１２Ａ，１２Ｂは、底壁１０に連続した外壁部１６と、この底壁部の端縁に連続した連続壁部１７と、この連続壁部１７に連続した内壁部１８とを備えた二重壁により構成されている。外壁部１６と連続壁部１７との境界部分には、直線状に延びる折曲線１９が設けられている。連続壁部１７と内壁部１８との境界部分には、中央に内壁部１８内に向けて迂回し、略横Ｖ字形状をなすように傾斜して延びる切断線２０が設けられている。この切断線２０の両端には、直線状に延びる折曲線２１が設けられている。なお、折曲線１９，２１は、折曲線上に所定間隔をもって切断部を設けたリード罫によって構成されている。
【００１７】
切断線２０によって区画された連続壁部１７の側には、組立状態で、内壁部１８の一部上端を切り起こし、連続壁部１７と面一に連続して内壁部１８より内向きに突出する三角形状の第１係止片２２が形成される。この第１係止片２２は、折曲線２１から頂部（突端）までの寸法が、製造材料である段ボール紙の肉厚と略同一に形成されている。また、切断線２０の両端および中央には、内壁部１８内に向けて横方向に延びる切断線２３，２３，２３が設けられている。両端に位置する切断線２３，２３の端部間には折曲線２４が設けられている。これら切断線２３および折曲線２４で区画された内部には、第２係止片３２を連続壁部１７の内面側に確実に挿入させるための挿入補助部として、一対の弾性変形部２５が形成される。
【００１８】
また、内壁部１８の端縁には、組立状態で底壁１０の差込孔１１に差込可能な差込片２６が突設されている。さらに、内壁部１８には、組立状態の包装箱を分解する際に差込片２６と差込孔１１の係止を解除するための操作部２７が設けられている。この操作部２７は、内壁部１８の端縁中央を略半円形状をなすように打ち抜いた打抜部により構成されている。
【００１９】
側壁１４Ａ，１４Ｂは、底壁１０に連続する単一の壁により構成されている。この側壁１４Ａ，１４Ｂの両端縁には、外壁部１６と内壁部１８との間に折り込まれる折込フラップ２８が連設され、その境界部分に折曲線２９が設けられている。
【００２０】
また、側壁１４Ａ，１４Ｂの側縁には、蓋壁を構成する蓋フラップ３０Ａ，３０Ｂが連設され、その境界部分に折曲線３１が設けられている。これら蓋フラップ３０Ａ，３０Ｂは、端壁１２Ａ，１２Ｂの内法に略一致する横幅であり、側壁１４Ａ，１４Ｂ間の半分の領域をそれぞれ閉塞する。そして、蓋フラップ３０Ａ，３０Ｂには、組立状態で端壁１２Ａ，１２Ｂおよび側壁１４Ａ，１４Ｂからなる外周壁の先端開口部を閉塞した状態で第１係止片２２に一致する先端両側に、第２係止片３２，３２が外（横）向きに突設されている。これら第２係止片３２，３２は、第１係止片２２を形成する切断線２０の縦方向の端部間寸法より小さい縦寸法で形成されている。また、第２係止片３２は、蓋フラップ３０Ａ，３０Ｂの横方向の端縁から突端までの寸法が、第１係止片２２と同様に、製造材料である段ボール紙の肉厚と略同一に形成されている。これにより、第２係止片３２は、第１係止片２２から連続壁部１７にかけて内面に係止するように構成されている。
【００２１】
このように構成した包装箱のブランクは、打ち抜かれた展開状態のまま所定の納入先に出荷される。納入先では、まず、底壁１０に対して側壁１４Ａ，１４Ｂを折り曲げるとともに、側壁１４Ａ，１４Ｂに対して折込フラップ２８を折り曲げる。その後、折込フラップ２８を覆うように、底壁１０に対して外壁部１６を折り曲げ、ついで、外壁部１６に対して連続壁部１７を折り曲げた後、連続壁部１７に対して内壁部１８を折り曲げる。そして、内壁部１８の差込片２６を底壁１０の差込孔１１に差し込んで係止することにより、図１に示す開封状態の包装箱を組み立てる。
【００２２】
次に、二重壁構造の端壁１２Ａ，１２Ｂおよび単一壁構造の側壁１４Ａ，１４Ｂからなる外周壁の内部に所定の商品を収容する。その後、側壁１４Ａ，１４Ｂに対して蓋フラップ３０Ａ，３０Ｂを折り曲げ、蓋フラップ３０Ａ，３０Ｂを端壁１２Ａ，１２Ｂおよび側壁１４Ａ，１４Ｂからなる外周壁の先端開口部を配置する。そして、第２係止片３２が第１係止片２２の外面側に位置する状態で、蓋フラップ３０Ａ，３０Ｂを内向きに押し込む。これにより、図２に示すように、蓋フラップ３０Ａ，３０Ｂの第２係止片３２が、内壁部１８より内方に突出した第１係止片２２を乗り越えて、この第１係止片２２の内面側に係止する。
【００２３】
第１および第２係止片２２，３２の係止状態では、図３（Ａ），（Ｂ）に示すように、第１係止片２２が、第２係止片３２から蓋フラップ３０Ａ，３０Ｂにかけて係止する。また、第２係止片３２は、蓋フラップ３０Ａ，３０Ｂおよび第２係止片３２の寸法設定により、一部が連続壁部１７と内壁部１８の打抜部分の端縁との間に挿入される。この際、本実施形態では、内壁部１８の打抜部分が三角形状をなし、段ボール紙の肉厚より隙間が小さい部分が存在するが、打抜部分の下部に形成される弾性変形部２５によって確実に挿入作用を得ることができる。これにより、第１および第２係止片２２，３２の係止力を向上できる。その結果、端壁１２Ａ，１２Ｂおよび側壁１４Ａ，１４Ｂの先端開口部を蓋フラップ３０Ａ，３０Ｂによって閉塞した状態を確実に維持できる。
【００２４】
このように、本発明の包装箱は、一体に形成した蓋フラップ３０Ａ，３０Ｂによる閉塞作業が極めて容易であるうえ、第１および第２係止片２２，３２の係止力によって閉塞状態を確実に維持することができる。
【００２５】
図５乃至図７は、第２実施形態の包装箱を示す。この第２実施形態では、蓋壁である蓋体４１を別体で構成するとともに、端壁１２Ａ，１２Ｂの代わりに側壁１４Ａ，１４Ｂを第１係止片２２を有する二重壁構造とした点で、第１実施形態と大きく相違している。具体的には、第２実施形態の包装箱は、図７（Ａ），（Ｂ）に示すように、本体ブランクと蓋ブランクとからなる。
【００２６】
図７（Ａ）に示すように、箱本体を構成する本体ブランクは、第１実施形態と同様に、中央に底壁１０を備え、その両端縁に端壁１２Ａ，１２Ｂが連設されるとともに、両側縁に側壁１４Ａ，１４Ｂが連設されている。底壁１０には両側縁中央に差込孔１１が設けられている。
【００２７】
端壁１２Ａ，１２Ｂには、縦方向に位置する両側縁に折込フラップ２８が連設され、その境界部分に折曲線３３が設けられている。また、端壁１２Ａ，１２Ｂには、各端縁に側壁１４Ａ，１４Ｂ上に架設される枠壁３４が連設され、その境界部分に折曲線３５が設けられている。枠壁３４の両側縁には、二重壁構造の側壁１４Ａ，１４Ｂに差し込んで係止するための差込係止片３６が連設され、その境界部分に折曲線３７が設けられている。
【００２８】
側壁１４Ａ，１４Ｂは、底壁１０に連続する外壁部１６と、外壁部１６に連続する連続壁部１７と、連続壁部１７に連続する内壁部１８とを備えた二重壁からなる。この二重壁構造の側壁１４Ａ，１４Ｂは、第１実施形態と同様に第１係止片２２が設けられるとともに、弾性変形部２５が設けられている。そして、内壁部１８には、差込孔１１に差し込まれる差込片２６が突設されている。また、本実施形態では、連続壁部１７および外壁部１６には、これらにかけて連続して延びる差込係止孔３８が設けられている。さらに、内壁部１８には、横方向の各端縁に端壁１２Ａ，１２Ｂの内面に重畳される重畳フラップ３９が連設され、その境界部分に折曲線４０が設けられている。この折曲線４０は、他の折曲線とは異なり、段ボール紙の表紙側から肉厚を圧縮するように罫を入れて形成した所謂逆罫のものである。
【００２９】
図７（Ｂ）に示すように、蓋体４１を構成する蓋ブランクは、端壁１２Ａ，１２Ｂ間および側壁１４Ａ，１４Ｂの内法間の寸法と略同一の矩形状シートからなる。この蓋体４１の両側縁中央には、第１実施形態と同様の第２係止片３２が突設されている。
【００３０】
この第２実施形態の包装箱を使用する際には、まず、底壁１０に対して端壁１２Ａ，１２Ｂを折り曲げた後、端壁１２Ａ，１２Ｂに対して折込フラップ２８を折り曲げる。その後、折込フラップ２８を覆うように、底壁１０に対して外壁部１６を折り曲げ、ついで、外壁部１６に対して連続壁部１７を折り曲げる。また、内壁部１８に対して重畳フラップ３９を折り曲げながら、連続壁部１７に対して内壁部１８を折り曲げ、内壁部１８の差込片２６を底壁１０の差込孔１１に差し込んで係止する。最後に、枠壁３４に対して差込係止片３６を折り曲げながら、端壁１２Ａ，１２Ｂに対して枠壁３４を折り曲げ、差込係止片３６を側壁１４Ａ，１４Ｂの差込係止孔３８に差し込んで係止する。これにより、図５に示す開封状態の包装箱を組み立てる。
【００３１】
箱本体の内部に商品を収容させ、端壁１２Ａ，１２Ｂおよび側壁１４Ａ，１４Ｂからなる外周壁の先端開口部を閉塞する際には、両端の枠壁３４，３４上に架設するように蓋体４１を配置し、第２係止片３２，３２の部分を内向きに押し込む。これにより、図６に示すように、蓋体４１の第２係止片３２が、内壁部１８より内方に突出した第１係止片２２を乗り越えて、この第１係止片２２の内面側に係止する。
【００３２】
そして、このように蓋体４１を別体で形成した第２実施形態の包装箱は、第１実施形態と同様の作用および効果を得ることができる。
【００３３】
なお、本発明の包装箱は、前記実施形態の構成に限定されるものではなく、種々の変更が可能である。
【００３４】
例えば、前記実施形態では、二重壁構造の端壁１２Ａ，１２Ｂまたは側壁１４Ａ，１４Ｂに各１個の第１係止片２２を設けるとともに、蓋壁を構成する蓋フラップ３０Ａ，３０Ｂまたは蓋体４１に対応する第２係止片３２を設けたが、２個以上ずつ設ける構成としてもよい。しかも、各係止片２２，３２は、対向壁の対向位置に設ける構成としたが、異なる位置に設けてもよい。
【００３５】
また、前記実施形態の第１係止片２２は、平面視三角形状をなすように形成したが、図８（Ａ）に示すように円弧状としてもよく、図８（Ｂ）に示すように半長円形状としてもよく、図８（Ｃ）に示すように矩形状としてもよく、その形状は希望に応じて変更が可能である。
【００３６】
さらに、前記実施形態では、外周壁を構成する各対向壁である端壁１２Ａ，１２Ｂおよび側壁１４Ａ，１４Ｂのうち、一方だけを二重壁構造としたが、両方を二重壁構造としてもよい。但し、この場合には、蓋壁は、第２実施形態のように別体の蓋体４１によって構成する。また、この場合には、第１係止片２２は、端壁１２Ａ，１２Ｂおよび側壁１４Ａ，１４Ｂのうち、一方だけに設けてもよいうえ、両方に設ける構成としてもよい。
【００３７】
または、前記実施形態では、一対の対向壁である端壁１２Ａ，１２Ｂまたは側壁１４Ａ，１４Ｂを二重壁構造としたが、１つの壁（例えば端壁１２Ａ）だけを二重壁構造とし、その壁に第１係止片２２を設けるとともに、蓋壁の対向位置に第２係止片３２を設ける構成としてもよい。
【００３８】
また、前記実施形態では、第２係止片３２は、第１係止片２２および連続壁部１７の内面にかけて係止する構成としたが、第１係止片２２および連続壁部１７のうち一方の内面だけに係止する寸法設定としてもよい。即ち、蓋フラップ３０Ａ，３０Ｂまたは蓋体４１の横幅を、端壁１２Ａ，１２Ｂ間または側壁１４Ａ，１４Ｂ間の寸法より小さくするとともに、第２係止片３２，３２の端縁間の寸法を端壁１２Ａ，１２Ｂ間または側壁１４Ａ，１４Ｂ間の寸法と同一以下とする。これにより、第２係止片３２を第１係止片２２だけに係止する構成としてもよい。または、蓋フラップ３０Ａ，３０Ｂまたは蓋体４１の横幅を、端壁１２Ａ，１２Ｂ間または側壁１４Ａ，１４Ｂ間の寸法と同一とする。これにより、第２係止片３２を、内壁部１８における第１係止片２２の打抜部分を通して連続壁部１７だけに係止する構成としてもよい。
【００３９】
さらに、前記実施形態では、内壁部１８における第１係止片２２の打抜部分の下部に、第２係止片３２を連続壁部１７の内面側に確実に挿入させるための挿入補助部として、３本の切断線２３と折曲線２４とで一対の弾性変形部２５，２５を形成したが、この弾性変形部２５は、切断線２３を折曲線２４の両端に位置する２本だけとして、１つだけを設ける構成としてもよい。また、挿入補助部は、弾性変形部２５の代わりに、打ち抜きによるスリットで構成してもよい。
【００４０】
そして、前記実施形態では、外周壁を端壁１２Ａ，１２Ｂおよび側壁１４Ａ，１４Ｂからなる平面視矩形状のものとしたが、端壁１２Ａ，１２Ｂおよび側壁１４Ａ，１４Ｂの間に面取壁を設けた平面視八角形状や六角形状など、外周壁の平面視形状は希望に応じて変更が可能である。
【符号の説明】
【００４１】
１０…底壁（閉塞壁）
１２Ａ，１２Ｂ…端壁（外周壁）
１４Ａ，１４Ｂ…側壁（外周壁）
１６…外壁部
１７…連続壁部
１８…内壁部
２２…第１係止片
３０Ａ，３０Ｂ…蓋フラップ（蓋壁）
３２…第２係止片
４１…蓋体（蓋壁）
【図１】
2012076809.tif 000003
【図２】
2012076809.tif 000004
【図３】
2012076809.tif 000005
【図４】
2012076809.tif 000006
【図５】
2012076809.tif 000007
【図６】
2012076809.tif 000008
【図７】
2012076809.tif 000009
【図８】
2012076809.tif 000010